(57)【要約】【課題】スムーズに移動できる引き出しの衝撃と騒音を防止しながら、誰もが速やかに前板のデザインを変更できる構造とする。【解決手段】天板２の下方に、ガイドレール４と垂直板３を介して前後に引き出しできるように引き出し１を設けて、引き出し１の前板１３には前板カバー８を装着しており、この前板カバー８は、引き出し１の前板１３と垂直板３の先端面との間に配置される衝撃吸収クッション５と、前板１３に脱着自在に連結される脱着カバー部６とを備え、衝撃吸収クッション５と脱着カバー部６とを可撓性があって弾性変形できる材料で一体的に成形して、脱着カバー部６を前板１３に連結して、衝撃吸収クッション５を定位置に配置する。【選択図】図３
2019170880.tif 000002
【特許請求の範囲】
【請求項１】
天板と、
前記天板の下方に、前後に引き出し自在に配置してなる引き出しと、
前記天板の下方であって、前記引き出しの両側の側板の対向位置に側板から離して配置してなる垂直板と、
前記垂直板と前記引き出しの前記側板との間に設けられて、前記引き出しを水平方向に引き出し自在に前記垂直板に連結してなるガイドレールと、
を備え、
前記ガイドレールが
前記垂直板に固定してなる固定レールと、
前記引き出しの両側の側板に固定してなる移動レールと、
前記固定レールと前記移動レールとの間に配置してなる転動ボールとを備え、
前記引き出しが、
前記側板の先端面に固定され、かつ前記垂直板の先端面をカバーする横幅の前板を備えると共に、
前記前板に装着される前板カバーを備えており、
前記前板カバーが、
前記前板と前記垂直板の先端面との間に配置される衝撃吸収クッションと、
前記前板に脱着自在に連結してなる脱着カバー部とを備え、
前記衝撃吸収クッションは、
前記脱着カバー部と一体構造であって、脱着形状に変形できる可撓性を有し、かつ、それ自体の弾性変形力で前記前板に連結され、
前記脱着カバー部は、
前記前板の前面をカバーする表面カバー部と、
前記表面カバー部の両側に連結されて前記前板の両端面をカバーする端面カバー部と、
前記表面カバー部の上縁に連結されて前記前板の上面をカバーする上面カバー部とを備え、
前記衝撃吸収クッションは、前記脱着カバー部の前記端面カバー部と前記上面カバー部を介して前記表面カバー部に連結され、
前記前板カバーが前記前板に装着される状態で、前記脱着カバー部が前記前板の前面をカバーすると共に、前記衝撃吸収クッションが前記脱着カバー部を介して前記前板と前記垂直板の先端面との間に配置されてなることを特徴とする前板カバー付き引き出しを備える机。
【請求項２】
請求項１に記載される前板カバー付き引き出しを備える机であって、
前記前板カバーが、前記脱着カバー部と前記衝撃吸収クッションとを、軟質プラスチックで一体的に成形してなることを特徴とする前板カバー付き引き出しを備える机。
【請求項３】
請求項１または２に記載される前板カバー付き引き出しを備える机であって、
前記脱着カバー部がゴム状弾性体で成形されてなることを特徴とする前板カバー付き引き出しを備える机。
【請求項４】
請求項１ないし３のいずれかに記載される前板カバー付き引き出しを備える机であって、
前記脱着カバー部が軟質の透明プラスチックの成形体であることを特徴とする前板カバー付き引き出しを備える机。
【請求項５】
請求項１ないし４のいずれかに記載される前板カバー付き引き出しを備える机であって、
前記脱着カバー部と前記前板との間に、脱着自在に装飾プレートを配置してなることを特徴とする前板カバー付き引き出しを備える机。
【請求項６】
請求項１ないし５のいずれかに記載される前板カバー付き引き出しを備える机であって、
机が学習机であることを特徴とする前板カバー付き引き出しを備える机。
【請求項７】
請求項１ないし６のいずれかに記載される前板カバー付き引き出しを備える机であって、
前記天板の下方に、上下に多段の引き出しを配置してなることを特徴とする前板カバー付き引き出しを備える机。
【発明の詳細な説明】
【技術分野】
【０００１】
本発明は、主として学習机に最適な引き出しを備える机に関する。
【背景技術】
【０００２】
机は、天板の下方に引き出しを配置して便利に使用できる。最近の机は、引き出しをスムーズに引き出しできるように、ガイドレールを介して机本体に連結している。ガイドレールは、複数のボールを介して引き出しを極めて低い摩擦抵抗で移動させるので、重いものを収納する引き出しをスムーズに移動できる。重い物を収納してスムーズに移動できる引き出しは、移動するスピードが速く、閉めるときに衝撃や騒音が大きくなる欠点がある。
【先行技術文献】
【特許文献】
【０００３】
【特許文献１】特開平８−３２２６６１号公報
【発明の概要】
【発明が解決しようとする課題】
【０００４】
本発明の第１の目的は、ガイドレールを介してスムーズに移動できる引き出しの衝撃と騒音を防止できる前板カバー付き引き出しを備える机を提供することにある。
【０００５】
さらに、近年、引き出しの前板のデザインを交換できる机が開発されている。（特許文献１参照）
この机は、引き出しの前板を簡単に交換できるように、引き出しの底板の周囲に周壁を固定して、前面の周壁に前板をネジ止めして交換できる構造としている。この構造の机は、前板の交換に手間がかかり、また、前板を外した状態で引き出しが分解されないように、底板の周囲に四角形状に周壁を固定する必要があって、引き出しの製造コストが高くなる欠点がある。
【０００６】
本発明の第２の目的は、引き出しを閉めるときの衝撃を吸収するための部材を、前板のデザイン交換に兼用することで、簡単かつ容易に、しかも誰もが速やかに前板のデザインを変更できる前板カバー付き引き出しを備える机を提供することにある。
【課題を解決するための手段及び発明の効果】
【０００７】
本発明の前板カバー付き引き出しを備える机は、天板２と、天板２の下方に、前後に引き出し自在に配置してなる引き出し１と、天板２の下方であって、引き出し１の両側の側板１２の対向位置に側板１２から離して配置してなる垂直板３、３３と、垂直板３、３３と引き出し１の側板１２との間に設けられて、引き出し１を水平方向に引き出し自在に垂直板３、３３に連結してなるガイドレール４とを備えている。ガイドレール４は、垂直板３、３３に固定してなる固定レール２１と、引き出し１の両側の側板１２に固定してなる移動レール２２と、固定レール２１と移動レール２２との間に配置してなる転動ボール２３とを備えている。引き出し１は、側板１２の先端面に固定され、かつ垂直板３、３３の先端面をカバーする横幅の前板１３を備えると共に、この前板１３に装着される前板カバー８を備えている。前板カバー８は、前板１３と垂直板３、３３の先端面との間に配置される衝撃吸収クッション５と、前板１３に脱着自在に連結してなる脱着カバー部６とを備えている。衝撃吸収クッション５は、脱着カバー部６と一体構造であって、脱着形状に変形できる可撓性を有し、かつ、それ自体の弾性変形力で前板１３に連結されている。脱着カバー部６は、前板１３の前面をカバーする表面カバー部６Ａと、表面カバー部６Ａの両側に連結されて前板１３の両端面をカバーする端面カバー部６Ｂと、表面カバー部６Ａの上縁に連結されて前板１３の上面をカバーする上面カバー部６Ｃとを備え、衝撃吸収クッション５は、脱着カバー部６の端面カバー部６Ｂと上面カバー部６Ｃを介して表面カバー部６Ａに連結されている。前板カバー８が前板１３に装着される状態で、脱着カバー部６が前板１３の前面をカバーすると共に、衝撃吸収クッション５が脱着カバー部６を介して前板１３と垂直板３、３３の先端面との間に配置されている。
【０００８】
以上の机は、ガイドレールを介してスムーズに移動できる引き出しの衝撃と騒音を少なくできる特徴がある。それは、以上の机が、引き出しの前板に装着される前板カバーを備え、この前板カバーが前板と垂直板の先端面との間に配置される衝撃吸収クッションと、前板に脱着自在に連結してなる脱着カバー部とを備えており、衝撃吸収クッションを脱着カバー部と一体構造として、さらに、脱着カバー部を、前板の前面をカバーする表面カバー部と、表面カバー部の両側に連結されて前板の両端面をカバーする端面カバー部と、表面カバー部の上縁に連結されて前板の上面をカバーする上面カバー部とで構成して、衝撃吸収クッションを脱着カバー部の端面カバー部と上面カバー部を介して表面カバー部に連結して、前板カバーを前板に装着する状態で、脱着カバー部で前板の前面をカバーすると共に、衝撃吸収クッションを前板と垂直板の先端面との間に配置しているからである。
【０００９】
さらに、以上の机は、引き出しを閉めるときの衝撃を吸収するための衝撃吸収クッションを、前板のデザイン交換に兼用することで、簡単かつ容易に、しかも誰もが速やかに前板のデザインを変更できる特徴も実現する。とくに、前板に装着される前板カバーは、衝撃吸収クッションが脱着カバー部と一体構造であって、脱着形状に変形できる可撓性を有すると共に、それ自体の弾性変形力で前板に連結されるので、簡単に脱着でき、しかもそれ自体の弾性で前板に外れないように連結できる特徴がある。とくに、脱着カバー部は、前板の前面をカバーする表面カバー部と、表面カバー部の両側に連結されて前板の両端面をカバーする端面カバー部と、表面カバー部の上縁に連結されて前板の上面をカバーする上面カバー部とからなり、端面カバー部と上面カバー部とで表面カバー部を前板の表面に配置して、衝撃吸収クッションを前板と垂直板の先端面との間に配置するので、表面カバー部と衝撃吸収クッションを正確な位置に位置ずれしないように配置して、引き出しの衝撃を確実に吸収して、表面を綺麗に装飾できる特徴がある。
【００１０】
また、本発明の前板カバー付き引き出しを備える机は、前板カバー８が、脱着カバー部６と衝撃吸収クッション５とを、軟質プラスチックを一体的に成形してなる一体構造とすることができる。この机は、衝撃吸収クッションと脱着カバー部とを安価に多量生産できる特徴がある。
【００１１】
さらに、本発明の前板カバー付き引き出しを備える机は、脱着カバー部６をゴム状弾性体で成形することができる。この机は、衝撃吸収クッションと脱着カバー部とをさらに簡単かつ容易に、しかも速やかに脱着できると共に、表面カバー部と衝撃吸収クッションとを正確に位置ずれしないように配置できる。
【００１２】
さらに、本発明の前板カバー付き引き出しを備える机は、脱着カバー部６を軟質の透明プラスチックの成形体とすることができる。この机は、前板の木目模様等を表面に露出して綺麗に装飾できる特徴がある。
【００１３】
さらに、本発明の前板カバー付き引き出しを備える机は、脱着カバー部６と前板１３との間に、脱着自在に装飾プレート１５を配置することができる。この机は、脱着カバー部のデザインを変更することなく、装飾プレートを交換して前板のデザインを変更できる特徴がある。
【００１４】
さらに、本発明の前板カバー付き引き出しを備える机は、机を学習机とすることができる。
【００１５】
さらにまた、本発明の前板カバー付き引き出しを備える机は、天板２の下方に、上下に多段の引き出し１を配置することができる。以上の机は、上下に多段に配置する複数の引き出しの上下の位置ずれや隙間の誤差を前板カバーの脱着カバー部で吸収できるので、高い寸法精度で製作することなく、高品質な前板カバー付き引き出しを備える机を簡単に多量生産できる。
【図面の簡単な説明】
【００１６】
【図１】本発明の一実施形態に係る机の斜視図である。
【図２】図１に示す机の引き出しを引き出す状態を示す水平断面図であって、図１のＩＩ−ＩＩ線断面に相当する図である。
【図３】引き出しを背面側から見た分解斜視図である。
【図４】引き出しを正面側から見た分解斜視図である。
【図５】ガイドレールの取り付け部の一部拡大横断面図であって、図２のＶ−Ｖ線断面に相当する図である。
【図６】図１に示す机の一部拡大垂直断面図であって、図２のＶＩ−ＶＩ線断面に相当する図である。
【図７】脱着カバー部の他の一例を示す拡大断面図である。
【図８】本発明の他の実施形態に係る机の斜視図である。
【図９】図８に示す机のキャビネットのＩＸ−ＩＸ線断面図である。
【発明を実施するための形態】
【００１７】
以下、本発明の実施例を図面に基づいて説明する。ただし、以下に示す実施例は、本発明の技術思想を具体化するための前板カバー付き引き出しを備える机を例示するものであって、本発明は机を以下のものに特定しない。さらに、この明細書は、特許請求の範囲に示される部材を、実施例の部材に特定するものでは決してない。
【００１８】
図１と図２に示す机１００は、天板２の下に引き出し１を設けている。図の机１００は学習机１００であって、天板２の中央部に横幅の広い中央の引き出し１Ａを設けて、側部には中央の引き出し１Ａよりも横幅の狭い側部の引き出し１Ｂを多段に設けている。引き出し１の斜視図を図３と図４の分解斜視図に示している。これらの図の引き出し１は、平面視を四角形状とする周壁１０の底部に底板１１を固定している。周壁１０は、両側の側板１２と、側板１２の先端面に固定している前板１３と、側板１２の後端面に固定している背面板１４とからなる。さらに、図に示す引き出し１は、前板１３に脱着自在に装着される前板カバー８を備えている。
【００１９】
引き出し１は、天板２の下面に固定している垂直板３に引き出しできるように連結している。垂直板３は、図２と図５に示すように、引き出し１の側板１２の両側に、側板１２から間隔を設けて対向位置に配置されて、隙間にはガイドレール４を固定している。ガイドレール４は、垂直板３に固定している固定レール２１と、引き出し１の両側の側板１２に固定している移動レール２２と、固定レール２１と移動レール２２との間に配置している複数のボール２３とを備える。固定レール２１と移動レール２２とは水平姿勢に固定されて、引き出し１を水平方向に移動できるように垂直板３に連結している。図５は、ガイドレール４の取り付け部の横断面図を示している。この図のガイドレール４は、固定レール２１と移動レール２２とを溝形として、移動レール２２の内側壁２２Ａを固定レール２１の外側壁２１Ａの内側に配置して、内側壁２２Ａと外側壁２１Ａとの間に、複数のボール２３を一定の間隔で配置している。内側壁２２Ａと外側壁２１Ａは、ボール２３を長手方向に移動させる転動溝を対向面に設けている。複数のボール２３を一定の間隔に配置するためにスペーサ（図示せず）を配置している。スペーサはボール２３を転動自在に案内する貫通穴を一定の間隔に設けている。
【００２０】
前板１３は、側板１２の先端面に固定されて、垂直板３の先端面をカバーする横幅としている。図２の一部拡大断面図に示す引き出し１は、前板１３の両端を垂直板３の外側に配置する横幅として、垂直板３の先端面の前面をカバーしている。さらに、前板１３は、図３及び図４に示すように、脱着自在に前板カバー８が装着されている。この前板カバー８は、前板１３と垂直板３の先端面との間に配置される衝撃吸収クッション５と、前板１３に脱着自在に連結してなる脱着カバー部６とを備えている。図の前板カバー８は、引き出し１の前板１３に装着される状態で、前板１３と垂直板３の先端面との間に衝撃吸収クッション５を配置して、引き出し１を閉めるときの衝撃を吸収するようにしている。
【００２１】
衝撃吸収クッション５は、図３と図４に示すように、前板１３に脱着自在に連結している脱着カバー部６と一体構造に成形している。一体構造の衝撃吸収クッション５と脱着カバー部６は、前板１３から簡単に脱着できる可撓性があって、それ自体の弾性復元力で前板１３の天板２に連結状態に保持できる材料、たとえばゴム状弾性体を一体的に成形して製作される。一体構造の衝撃吸収クッション５と脱着カバー部６は、可撓性があって弾性変形できる軟質プラスチック、あるいは天然又は合成ゴムを一体的に成形して製作される。脱着カバー部６と衝撃吸収クッション５は、例えば、透明の軟質プラスチックを成形し、あるいは透光性のある軟質プラスチックを成形して製作される。
【００２２】
透明の軟質プラスチックを成形して製作される脱着カバー部６は、前板１３を木目模様として綺麗に木目模様を露出できる。また、図４の鎖線で示すように、脱着カバー部６の表面カバー部６Ａと前板１３との間に、脱着自在に装飾プレート１５を配置して、装飾プレート１５で前板１３の表面を綺麗に装飾できる。この構造は、装飾プレート１５を交換して前板表面の装飾を簡単に変更できる特徴がある。軟質プラスチックの脱着カバー部６は、透光性のある状態に着色することができる。この脱着カバー部６は、前板１３や装飾プレートの表面を着色して装飾できる。
【００２３】
さらに、前板カバー８は、脱着カバー部６を、非透明の、または透光性のない軟質プラスチック、あるいは天然又は合成ゴムを一体的に成形して製作することもできる。前板カバーは、たとえば、脱着カバー部自体に着色し、あるいは、表面カバー部に種々の模様やデザインを表示することができる。この前板カバーは、木目を重視しないユーザー向けの机として、引き出しの前面の色の選択肢を与えることができる。例えば、学習机等においては、ユーザーが子供のうちは、木目に関係なく派手な色や柄を好むことが多いため、前板カバーの脱着カバー部を透明ではなく、派手な色に着色したものや種々の模様、あるいは、子供が好む柄やデザイン、例えば、花柄やキラキラ柄等とし、あるいはキャラクターや乗り物等を表示することもできる。この場合、子供の成長と共に、前板カバーを交換することで、年齢や好みに合った色や柄、デザイン等を選択できる。また、引き出しの前面を木目調としたい場合には、前板を木製とする引き出しにおいては、前板カバーを透明のカバーに交換し、あるいは、透明の前板カバーと前板との間に木製の装飾プレートを配置することで実現できる。以上のように、前板カバー８は、脱着自在に前板１３に連結されるので、これを交換することで前板１３の装飾模様や色を簡単に変更できる。
【００２４】
衝撃吸収クッション５は、脱着カバー部６と一体構造に連結しているので、前板カバー８を交換しながら、前板１３と垂直板３との間に配置されて、引き出し１を閉める瞬間の衝撃と騒音を防止できる。とくに、学習机においては、小さな子供が使用する際には、引き出し１の開閉を乱雑に行うことが多いため、衝撃や騒音が発生しやすくなる。このため、以上のような前板カバー８を引き出し１の前板１３に装着して、前板１３と垂直板３との間に衝撃吸収クッション５を配置することは、子供が使用する学習机において、衝撃・騒音回避の手段として好適である。
【００２５】
脱着カバー部６は、前板１３の前面をカバーする表面カバー部６Ａと、表面カバー部６Ａの両側に連結されて前板１３の両端面をカバーする端面カバー部６Ｂと、表面カバー部６Ａの上縁に連結されて前板１３の上面をカバーする上面カバー部６Ｃとからなる。図３及び図４の脱着カバー部６は、表面カバー部６Ａの下縁に連結されて前板１３の下面をカバーする下面カバー部６Ｄも一体構造としている。この脱着カバー部６は、端面カバー部Ｂと上面カバー部６Ｃと下面カバー部６Ｄとで前板１３の外周縁の全周をカバーするので、前板１３に確実に位置ずれなく連結できる特徴がある。
【００２６】
衝撃吸収クッション５は、脱着カバー部６の端面カバー部６Ｂと上面カバー部６Ｃと下面カバー部６Ｄを介して表面カバー部６Ａに連結される。衝撃吸収クッション５は、脱着カバー部６が前板１３に連結される状態で、前板１３と垂直板３の先端面との間に配置される。この衝撃吸収クッション５は、図２の一部拡大断面図及び図４の分解斜視図に示すように、表面カバー部６Ａとの間に隙間７が設けられて、表面カバー部６Ａと平行姿勢に配置される。衝撃吸収クッション５と表面カバー部６Ａとの隙間７は、前板１３の厚さにほぼ等しく、好ましくは、前板１３の厚さよりも僅かに小さく、脱着カバー部６の弾性復元力で前板１３に密着される。
【００２７】
図６は、机１００の両側に配置された側部の引き出し１Ｂの垂直断面図である。この図は、天板２の下に、上下に多段の引き出し１を配置している。各々の引き出し１の前板１３には、前板カバー８を装着している。前板カバー８は、脱着カバー部６を介して衝撃吸収クッション５を前板１３に連結している。この机１００は、上下に多段に配置される前板１３の間、正確には上段に位置する前板１３の下面と、下段に位置する前板１３の上面との間に、上段に配置される脱着カバー部６の下面カバー部６Ｄと、下段に配置される脱着カバー部６の上面カバー部６Ｃとが積層されて、上下多段に配置している複数の引き出し１の上下の位置ずれや隙間の誤差を吸収できる。
【００２８】
また、引き出し１を閉めるときに、上面カバー部６Ｃと下面カバー部６Ｄとが擦れあう摩擦抵抗で、閉める方向に移動している引き出し１の運動のエネルギーを吸収して、閉めることができる。したがって、この構造の机１００は、引き出し１を閉める時の衝撃を、脱着カバー部６と衝撃吸収クッション５の両方で吸収して、衝撃と騒音をさらに少なくできる特徴がある。図６の脱着カバー部６は、上面カバー部６Ｃと下面カバー部６Ｄの両方を一体構造として、摩擦抵抗を大きくして衝撃と騒音をより効果的に吸収できる。ただ、図７に示すように、脱着カバー部６に、下面カバー部を設けることなく上面カバー部６Ｃのみを設けて、引き出し１を閉める状態で、上面カバー部６Ｃと前板１３とが接触する構造としても、上面カバー部６Ｃと前板１３の下面との摩擦抵抗で閉めるときに運動のエネルギーを吸収できるので、この構造によっても、閉めるときの衝撃と騒音を防止できる特徴は実現される。
【００２９】
以上の実施形態に示す机１００は、天板２を有する机本体が、一体的に連結された複数の引き出し１を有する構造としている。すなわち、図１と図２に示す机１００は、天板２の下面に連結された垂直板３に対して、引き出し１を引き出し自在に連結する構造としている。ただ、本発明の机は、天板と引き出しとを分割することもできる。図８に示す机２００は、天板２を備える机本体４０と、複数の引き出し１を備えるキャビネット３０とを備えており、キャビネット３０を机本体４０の天板２の下方に配置する構造としている。
【００３０】
図８に示す机本体４０は、天板２を所定の高さに配置できるように、天板２の下面の両側に支持部４１を設けている。図の机本体４０は、両側の支持部４１で支持される天板２の下方にキャビネット３０の収納スペース４２を設けて、この収納スペース４２にキャビネット３０を収納している。
【００３１】
キャビネット３０は、全体の外観を直方体の箱形としており、上下に多段の引き出し１を引き出し自在に備えている。図９に示すキャビネット３０は、前面を開口した箱形の本体部３１と、この本体部３１の開口部に、前後に引き出し自在に配置される上下３段の引き出し１とを備えている。箱形の本体部３１は、上下に配置される引き出し１の両側に配置される一対の垂直板３３と、垂直板３３の上端に固定している上板３２と、垂直板３３の下端に固定している底板３４と、垂直板３３の後端に固定している背面板３５とからなる。さらに、キャビネット３０は、前述の机１００と同様に、引き出し１の側板１２の両側に、一対の垂直板３３を側板１２から間隔を設けて対向位置に配置して、隙間にはガイドレール４を固定している。
【００３２】
キャビネット３０に配置される上下多段の引き出し１は、前述の引き出し１と同様の構造としている。すなわち、引き出し１の前板１３は、側板１２の先端面に固定されて、垂直板３３の先端面をカバーする横幅としている。図８の引き出し１は、前板１３の両端を垂直板３３の外側に配置する横幅として、垂直板３３の先端面の前面をカバーしている。さらに、この引き出し１も、前板１３に前板カバー８を脱着自在に装着できるようにしている。前板カバー８は、前述と同様の構造であって、前板１３と垂直板３の先端面との間に配置される衝撃吸収クッション５と、前板１３に脱着自在に連結してなる脱着カバー部６とを備えている。図の前板カバー８は、引き出し１の前板１３に装着される状態で、前板１３と垂直板３３の先端面との間に衝撃吸収クッション５を配置して、引き出し１を閉めるときの衝撃を吸収するようにしている。
【００３３】
さらに、図９に示すキャビネット３０は、上下に多段に配置される前板１３の間、正確には上段に位置する前板１３の下面と、下段に位置する前板１３の上面との間に、上段に配置される脱着カバー部６の下面カバー部６Ｄと、下段に配置される脱着カバー部６の上面カバー部６Ｃとが積層している。このため、上下に配置している引き出し１の上下の位置ずれや隙間の誤差を吸収できる。また、引き出し１を閉めるときに、上面カバー部６Ｃと下面カバー部６Ｄとが擦れあう摩擦抵抗で、閉める方向に移動している引き出し１の運動のエネルギーを吸収して、閉めることができる。したがって、このキャビネット３０は、引き出し１を閉める時の衝撃を、脱着カバー部６と衝撃吸収クッション５の両方で吸収して、衝撃と騒音をさらに少なくできる特徴がある。
【００３４】
さらに、図９のキャビネットは、最上段に配置される引き出し１の前板カバー８の上面カバー部６Ｃを、上方に位置する上板３２の下面と前板１３の上面との間に配置しており、最上段の引き出し１を閉める状態で、前板カバー８の上面カバー部６Ｃが上板３２の下面と接触する構造としている。この構造によると、引き出し１を閉める際に、上面カバー部６Ｃと前板１３の下面との摩擦抵抗で運動のエネルギーを吸収でき、閉めるときの衝撃と騒音をさらに防止できる。
【００３５】
さらに、図８と図９に示すキャビネット３０は、底板３４の下面にキャスター３６を備えている。このキャビネット３０は、キャスター３６を介して自由に移動できる特徴がある。ただ、キャビネットは、必ずしもキャスターを必要とはせず、机本体の天板の下方に、移動しないように配置することもできる。
【産業上の利用可能性】
【００３６】
本発明の前板カバー付き引き出しを備える机は、引き出しを閉めるときの衝撃と騒音を防止しながら、引き出しの前板のデザインを簡単に交換できる机として、とくに、学習机等に好適に使用できる。
【符号の説明】
【００３７】
１００、２００…机
１…引き出し
１Ａ…中央の引き出し
１Ｂ…側部の引き出し
２…天板
３…垂直板
４…ガイドレール
５…衝撃吸収クッション
６…脱着カバー部
６Ａ…表面カバー部
６Ｂ…端面カバー部
６Ｃ…上面カバー部
６Ｄ…下面カバー部
７…隙間
８…前板カバー
１０…周壁
１１…底板
１２…側板
１３…前板
１４…背面板
１５…装飾プレート
２１…固定レール
２２…移動レール
２３…ボール
３０…キャビネット
３１…本体部
３２…上板
３３…垂直板
３４…底板
３５…背面板
３６…キャスター
４０…机本体
４１…支持部
４２…収納スペース
【図１】
2019170880.tif 000003
【図２】
2019170880.tif 000004
【図３】
2019170880.tif 000005
【図４】
2019170880.tif 000006
【図５】
2019170880.tif 000007
【図６】
2019170880.tif 000008
【図７】
2019170880.tif 000009
【図８】
2019170880.tif 000010
【図９】
2019170880.tif 000011
【手続補正書】
【提出日】平成31年4月26日(2019.4.26)
【手続補正１】
【補正対象書類名】特許請求の範囲
【補正対象項目名】全文
【補正方法】変更
【補正の内容】
【特許請求の範囲】
【請求項１】
天板と、
前記天板の下方に、前後に引き出し自在に配置してなる引き出しと、
前記天板の下方であって、前記引き出しの両側の側板の対向位置に側板から離して配置してなる垂直板と、
前記垂直板と前記引き出しの前記側板との間に設けられて、前記引き出しを水平方向に引き出し自在に前記垂直板に連結してなるガイドレールと、
を備え、
前記ガイドレールが
前記垂直板に固定してなる固定レールと、
前記引き出しの両側の側板に固定してなる移動レールと、
前記固定レールと前記移動レールとの間に配置してなる転動ボールとを備え、
前記引き出しが、
前記側板の先端面に固定され、かつ前記垂直板の先端面をカバーする横幅の前板を備えると共に、
前記前板に装着される前板カバーを備えており、
前記前板カバーが、
前記前板と前記垂直板の先端面との間に配置される衝撃吸収クッションと、
前記前板に脱着自在に連結してなる脱着カバー部とを備え、
前記衝撃吸収クッションは、
前記脱着カバー部と一体構造であって、脱着形状に変形できる可撓性を有し、かつ、それ自体の弾性変形力で前記前板に連結され、
前記脱着カバー部は、
前記前板の前面をカバーする表面カバー部と、
前記表面カバー部の両側に連結されて前記前板の両端面をカバーする端面カバー部と、
前記表面カバー部の上縁に連結されて前記前板の上面をカバーする上面カバー部とを備え、
前記衝撃吸収クッションは、前記脱着カバー部の前記端面カバー部と前記上面カバー部を介して前記表面カバー部に連結され、
前記前板カバーが前記前板に装着される状態で、前記脱着カバー部が前記前板の前面をカバーすると共に、前記衝撃吸収クッションが前記脱着カバー部を介して前記前板と前記垂直板の先端面との間に配置されてなることを特徴とする前板カバー付き引き出しを備える机。
【請求項２】
請求項１に記載される前板カバー付き引き出しを備える机であって、
前記前板カバーが、前記脱着カバー部と前記衝撃吸収クッションとを、軟質プラスチックで一体的に成形してなることを特徴とする前板カバー付き引き出しを備える机。
【請求項３】
請求項１または２に記載される前板カバー付き引き出しを備える机であって、
前記脱着カバー部がゴム状弾性体で成形されてなることを特徴とする前板カバー付き引き出しを備える机。
【請求項４】
請求項１ないし３のいずれかに記載される前板カバー付き引き出しを備える机であって、
前記脱着カバー部が軟質の透明プラスチックの成形体であることを特徴とする前板カバー付き引き出しを備える机。
【請求項５】
請求項４に記載される前板カバー付き引き出しを備える机であって、
前記脱着カバー部と前記前板との間に、脱着自在に装飾プレートを配置してなることを特徴とする前板カバー付き引き出しを備える机。
【請求項６】
請求項１ないし５のいずれかに記載される前板カバー付き引き出しを備える机であって、
机が学習机であることを特徴とする前板カバー付き引き出しを備える机。
【請求項７】
請求項１ないし６のいずれかに記載される前板カバー付き引き出しを備える机であって、
前記天板の下方に、上下に多段の引き出しを配置してなることを特徴とする前板カバー付き引き出しを備える机。